(57)【要約】【課題】  ＶＣＴの電源側と負荷側に接続される接地開閉装置の縮小化を図る。【解決手段】  ５極の開閉部２１と、５極の開閉部２１を開閉操作する操作機構２２と、５極の開閉部２１と接地極を接続する接地導体２３とを備え、５極の開閉部２１は、ＶＣＴ１の一方の電圧計測用巻線の一方端が接続されるとともに、一方の電流計測用巻線の一方端が接続されたＲ１端子と、一方の電圧計測用巻線の他方端が接続されるとともに、他方の電圧計測用巻線の一方端が接続されたＳ端子と、他方の電圧計測用巻線の他方端が接続されるとともに、他方の電流計測用巻線の一方端が接続されたＴ１端子と、一方の電流計測用巻線の他方端が接続されたＲ２端子と、他方の電流計測用巻線の他方端が接続されたＴ２端子と、にそれぞれ接続されていることを特徴とする。【選択図】  図１
2015159680.tif 000002
【特許請求の範囲】
【請求項１】
５極の開閉部と、
前記５極の開閉部を開閉操作する操作機構と、
前記５極の開閉部と接地極を接続する接地導体とを備え、
前記５極の開閉部は、ＶＣＴの一方の電圧計測用巻線の一方端が接続されるとともに、一方の電流計測用巻線の一方端が接続されたＲ１端子と、
前記一方の電圧計測用巻線の他方端が接続されるとともに、他方の電圧計測用巻線の一方端が接続されたＳ端子と、
前記他方の電圧計測用巻線の他方端が接続されるとともに、他方の電流計測用巻線の一方端が接続されたＴ１端子と、
前記一方の電流計測用巻線の他方端が接続されたＲ２端子と、
前記他方の電流計測用巻線の他方端が接続されたＴ２端子と、
にそれぞれ接続されていることを特徴とする接地開閉装置。
【請求項２】
前記操作機構は、前記５極の開閉部を一括で開閉操作することを特徴とする請求項１に記載の接地開閉装置。
【請求項３】
前記操作機構は、前記５極の開閉部をランダムで開閉操作することを特徴とする請求項１に記載の接地開閉装置。
【請求項４】
前記接地導体に絶縁抵抗測定端子を設けたことを特徴とする請求項１乃至請求項３のいずれか１項に記載の接地開閉装置。
【発明の詳細な説明】
【技術分野】
【０００１】
本発明の実施形態は、計器用変圧変流器（ＶＣＴ）の電源側と負荷側の主回路に接続される接地開閉装置に関する。
【背景技術】
【０００２】
従来、ＶＣＴの電源側と負荷側の主回路には、接地開閉装置が接続されており、これらの接地開閉装置を閉路して接地後、ＶＣＴの保守点検などが行われていた（例えば、特許文献１参照）。
【０００３】
この種の接地開閉装置は、図３に示すように、ＶＣＴ１の電源側に電源側接地開閉装置２、負荷側に負荷側接地開閉装置３が接続されている。電源側接地開閉装置２は、Ｒ、Ｓ、Ｔ相の三相の開閉部４と、三相を一括で開閉操作する操作機構５と、開閉部４と接地極を接続する接地導体６で構成されている。負荷側接地開閉装置３も同様に、Ｒ、Ｓ、Ｔ相の三相の開閉部７と、三相を一括で開閉操作する操作機構８と、開閉部７と接地極を接続する接地導体９で構成されている。電源側接地開閉装置２の電源側には、電源側断路器１０が接続され、また、負荷側接地開閉装置３の負荷側には、負荷側断路器１１が接続されている。ＶＣＴ１では、Ｒ相とＴ相で電流を計測し、Ｒ相−Ｓ相、Ｓ相−Ｔ相で電圧を計測するようになっている。Ｓ相は、Ｖ結線の一方と他方の巻線の接続点であり、電源側と負荷側の端子が共通している。
【０００４】
このようなＶＣＴ１において、保守点検をする場合、先ず、電源側、負荷側断路器１０、１１を開路して系統から切離し、次に、電源側、負荷側接地開閉装置２、３を閉路して接地後、作業が行われる。このため、ＶＣＴ１の主回路の接地を取るためには、電源側、負荷側接地開閉装置２、３の二台が必要であり、設置スペースの確保などから縮小化には限界があった。
【先行技術文献】
【特許文献】
【０００５】
【特許文献１】特開平９−１２０７５８号公報
【発明の概要】
【発明が解決しようとする課題】
【０００６】
本発明が解決しようとする課題は、ＶＣＴ１の電源側と負荷側の主回路に接続される接地開閉装置であって、設置スペースを抑制して縮小化を図ることのできる接地開閉装置を提供することにある。
【課題を解決するための手段】
【０００７】
上記課題を解決するために、実施形態の接地開閉装置は、５極の開閉部と、前記５極の開閉部を開閉操作する操作機構と、前記５極の開閉部と接地極を接続する接地導体とを備え、前記５極の開閉部は、ＶＣＴの一方の電圧計測用巻線の一方端が接続されるとともに、一方の電流計測用巻線の一方端が接続されたＲ１端子と、前記一方の電圧計測用巻線の他方端が接続されるとともに、他方の電圧計測用巻線の一方端が接続されたＳ端子と、前記他方の電圧計測用巻線の他方端が接続されるとともに、他方の電流計測用巻線の一方端が接続されたＴ１端子と、前記一方の電流計測用巻線の他方端が接続されたＲ２端子と、前記他方の電流計測用巻線の他方端が接続されたＴ２端子と、にそれぞれ接続されていることを特徴とする。
【図面の簡単な説明】
【０００８】
【図１】本発明の実施例１に係る接地開閉装置の接続例を示す電源系統図。
【図２】本発明の実施例２に係る接地開閉装置の接続例を示す電源系統図。
【図３】従来の接地開閉装置の接続例を示す電源系統図。
【発明を実施するための形態】
【０００９】
以下、図面を参照して本発明の実施例を説明する。
【実施例１】
【００１０】
先ず、本発明の実施例１に係る接地開閉装置を図１を参照して説明する。図１は、本発明の実施例１に係る接地開閉装置の接続例を示す電源系統図である。なお、従来と同様の構成部分は、同一符号を付した。
【００１１】
図１に示すように、ＶＣＴ１には、電源側と負荷側を接地することのできる一括接地開閉装置２０が接続されている。一括接地開閉装置２０は、電源側のＲ相、Ｓ相、Ｔ相、負荷側のＲ相、Ｔ相に接続された５極の開閉部２１と、開閉部２１を一括で開閉操作する操作機構２２と、開閉部２１と接地極を接続する接地導体２３で構成されている。ＶＣＴ１の電源側には、電源側断路器１０が接続され、負荷側には、負荷側断路器１１が接続されている。
【００１２】
ここで、ＶＣＴ１には、電源側のＲ相では、一方の電圧計測用巻線の一方端が接続されるとともに、一方の電流計測用巻線の一方端が接続されたＲ１端子が設けられ、Ｓ相では、一方の電圧計測用巻線の他方端が接続されるとともに、他方の電圧計測用巻線の一方端が接続されたＳ端子が設けられ、Ｔ相では、他方の電圧計測用巻線の他方端が接続されるとともに、他方の電流計測用巻線の一方端が接続されたＴ１端子が設けられている。また、負荷側のＲ相では、一方の電流計測用巻線の他方端が接続されたＲ２端子が設けられ、Ｔ相では、他方の電流計測用巻線の他方端が接続されたＴ２端子が設けられている。そして、それぞれの端子Ｒ１、Ｒ２、Ｓ、Ｔ１、Ｔ２に、５極の開閉部２１が接続されている。
【００１３】
ＶＣＴ１では、従来と同様に、Ｒ１端子とＲ２端子間、Ｔ１端子とＴ２端子間で電流を計測し、Ｒ１端子とＳ端子間、Ｓ端子とＴ１端子間で電圧を計測するようになっている。Ｓ端子は、一方と他方の電圧計測用巻線のＶ結線の接続点であり、電源側と負荷側が共通している。
【００１４】
これにより、ＶＣＴ１を保守点検をする場合には、先ず、電源側、負荷側断路器１０、１１を開路して系統から切離し、次に、一括接地開閉装置２０を例えば、電動操作により一括で閉路し、接地後、作業が行われる。このため、ＶＣＴ１の接地を、５極の開閉部２１を一括操作する一台の一括接地開閉装置２０で行うことができる。従来のような二台を用いるものと比べて、スペースが抑制され、これを収納するスイッチギヤの縮小化を図ることができる。また、一台の開閉操作となり、作業時間の短縮ができる。
【００１５】
上記実施例１の接地開閉装置によれば、ＶＣＴ１の電源側と負荷側の接地を、５極を一括で開閉操作する一台の一括接地開閉装置２０で行うようにしているので、設置スペースが抑制され、縮小化を図ることができる。
【００１６】
上記実施例では、図示上部を電源側、図示下部を負荷側で説明したが、これを逆にし、図示上部を負荷側、図示下部を電源側としてもよい。
【００１７】
また、５極の開閉部２１を一括で開閉操作することで説明したが、例えば、各極を手動操作とし、ランダムに開閉操作してもよい。
【実施例２】
【００１８】
次に、本発明の実施例２に係る接地開閉装置を図２を参照して説明する。図２は、本発明の実施例２に係る接地開閉装置の接続例を示す電源系統図である。なお、この実施例２が実施例１と異なる点は、絶縁抵抗測定端子を設けたことである。図２において、実施例１と同様の構成部分においては、同一符号を付し、その詳細な説明を省略する。
【００１９】
図２に示すように、一括接地開閉装置２０の開閉部２１の接地側には、主回路の絶縁抵抗を測定する絶縁抵抗測定端子２４を設けている。図示では、開閉部２１と接地導体２３間にそれぞれ絶縁抵抗測定端子２４を設けているが、接地導体２３に単独で設けることができる。
【００２０】
上記実施例２の接地開閉装置によれば、実施例１による効果のほかに、絶縁抵抗を測定することができる。
【００２１】
以上述べたような実施形態によれば、ＶＣＴの電源側、負荷側主回路の接地を一台の接地開閉装置で行うことができ、縮小化を図ることができる。
【００２２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２３】
１  ＶＣＴ
２  電源側接地開閉装置
３  負荷側接地開閉装置
４、７、２１  開閉部
５、８、２２  操作機構
６、９、２３  接地導体
１０  電源側断路器
１１  負荷側断路器
２０  一括接地開閉装置
２４  絶縁抵抗測定端子
【図１】
2015159680.tif 000003
【図２】
2015159680.tif 000004
【図３】
2015159680.tif 000005